(57)【要約】【課題】  補助光源および各種センサが器具本体に容易に設けられるセンサ装置およびこのセンサ装置を具備する照明器具を提供する。【解決手段】  センサ装置１は、人感センサ３０および照度センサ３１を有するセンサ手段１９と、補助光源２０と、人感センサ３０の出力に応じて主光源３の光出力を制御可能に主光源３の電源線２９ａ，２９ｂが接続され、照度センサ３１の出力に応じて補助光源２０を点灯するように制御する制御手段２１と、少なくともセンサ手段１９、補助光源２０および制御手段２１がユニット化するように配設され、主光源３を備えた器具本体４に取付け可能な装置本体２４と、を具備している。【選択図】図１
2014067556.tif 000002
【特許請求の範囲】
【請求項１】
人感センサおよび照度センサを有するセンサ手段と；
補助光源と；
前記人感センサの出力に応じて主光源の光出力を制御可能に主光源の電源線が接続され、前記照度センサの出力に応じて前記補助光源を点灯するように制御する制御手段と；
少なくとも前記センサ手段、前記補助光源および前記制御手段がユニット化するように配設され、前記主光源を備えた器具本体に取付け可能な装置本体と；
を具備していることを特徴とするセンサ装置。
【請求項２】
請求項１記載のセンサ装置と；
このセンサ装置により点灯制御される主光源と；
前記センサ装置および前記主光源を配設している器具本体と；
を具備していることを特徴とする照明器具。
【発明の詳細な説明】
【技術分野】
【０００１】
本発明の実施形態は、人感センサや照度センサなどを有するセンサ装置およびこのセンサ装置を具備する照明器具に関する。
【背景技術】
【０００２】
省電力などの観点から、人体の有無や周囲の明るさなどに応じて、光源の点灯状態を制御するセンサ付きの照明器具が提供されている。この照明器具には、周囲の明るさに応じて点灯状態が制御される補助光源と、人体の有無に応じて点灯状態が制御される主光源を具備しているものがある。そして、補助光源には、ＬＥＤランプが用いられている（例えば特許文献１，２参照。）。また、現今、主光源も、消費電力が小さく、長寿命であるＬＥＤランプが使用されている。そして、補助光源、明るさを検出する照度センサおよび人体を検出する人感センサは、それぞれ器具本体の適宜の位置に設けられている。
【０００３】
補助光源は、周囲が暗くなると点灯され、周囲が明るくなると消灯される。また、主光源は、周囲に人体が接近すると、設定時間例えば５分間に亘って点灯される。したがって、無人時でも、真っ暗にならず、最小限の明るさが得られるとともに、必要なときには主光源が点灯して十分な明るさが得られて、照明器具での消費電力が抑えられている。
【先行技術文献】
【特許文献】
【０００４】
【特許文献１】特許第４３１３０５６号公報（第４頁、第１図）
【特許文献２】特開２００８−２３５１１７号公報（第７頁、第２図）
【発明の概要】
【発明が解決しようとする課題】
【０００５】
従来、補助光源、照度センサおよび人感センサは、器具本体の所定の位置にそれぞれ配設されている。したがって、それらの取付けや配線作業に手間を要するという欠点を有する。
【０００６】
本実施形態は、補助光源および各種センサが器具本体に容易に設けられるセンサ装置およびこのセンサ装置を具備する照明器具を提供することを目的とする。
【課題を解決するための手段】
【０００７】
本実施形態のセンサ装置は、センサ手段、補助光源、制御手段および装置本体を有して構成される。
【０００８】
センサ手段は、人体を検出する人感センサおよび明るさを検出する照度センサを有してなる。制御手段は、人感センサの出力に応じて主光源の光出力を制御可能に主光源の電源線が接続され、照度センサの出力に応じて補助光源を点灯するように制御する。
【０００９】
装置本体は、少なくともセンサ手段、補助光源および制御手段がユニット化するように配設され、主光源を備えた器具本体に取付け可能に形成される。
【発明の効果】
【００１０】
本発明の実施形態によれば、センサ装置は、装置本体にセンサ手段、補助光源および制御手段を配設しているので、装置本体を器具本体に配設することにより、補助光源を備えたセンサ付きの照明器具を容易に構成できることが期待できる。
【図面の簡単な説明】
【００１１】
【図１】本発明の実施形態を示す照明器具の概略斜視図である。
【図２】同上、照明器具の概略下面図である。
【図３】同上、照明器具の概略縦断面図である。
【図４】同上、センサ装置の構成を示す概略ブロック図である。
【図５】同上、スイッチの設定を示す説明図である。
【発明を実施するための形態】
【００１２】
以下、本発明の一実施の形態について、図面を参照して説明する。
【００１３】
本実施形態の照明器具１は、センサ装置２を具備するセンサ付き照明器具であり、図１ないし図３に示すように構成されている。センサ装置２は、図４および図５に示すように構成されている。
【００１４】
図１において、照明器具１は、天井等の造営物に設置される小型シーリングライトであり、センサ装置２、主光源３および器具本体４を有して構成されている。器具本体４は、ＡＢＳ樹脂により、主光源３および反射板５を収納する主照明部６およびセンサ装置２を収納する補助照明部７に形成されている。主照明部６は、円筒状に形成され、補助照明部７は、主照明部６に一体化して略四角筒状に形成されている。
【００１５】
図３において、器具本体４の内面４ｂには、取付け板８，９をそれぞれ取り付けている突出部１０，１１が設けられている。そして、取付け板８には、ねじ１２および飾りナット１３により反射板５が取り付けられ、さらに、ソケット１４が取り付けられている。また、取付け板９には、ねじ１５により端子台１６が取り付けられているとともに、センサ装置２が固定されている。端子台１６は、図示しない配線により、センサ装置２に接続されているとともに商用交流電源に接続されている。
【００１６】
反射板５は、例えばアルミニウム(Ａｌ)により、３段の断面方物面５ａ〜５ｃが互いに異なる回転体に形成され、その開口５ｄが主照明部6の開口６ａに面している。そして、中段の方物面５ｂに通孔１７が形成されていて、この通孔１７を通してソケット１４が反射板５の内側に挿入されている。通孔１７は、中段の方物面５ｂの外側において、黒色のシリコーンからなるパッキン１８により略閉塞されている。ソケット１４は、図示しない配線によりセンサ装置２に接続されている。
【００１７】
ソケット１４には、主光源３が取り付けられている。主光源３は、例えば電球形ＬＥＤランプ（ＬＥＤ電球）であり、内部に交流電圧(ＡＣ１００Ｖ)を所定の直流電圧に変換する図示しない点灯装置およびＬＥＤが実装された図示しないＬＥＤモジュールが設けられており、例えば白色光を放射する。この白色光は、照明器具１の照明領域を明るく照明する。主光源３は、センサ装置２により点灯状態が制御される。
【００１８】
センサ装置２は、図４に示すように、センサ手段１９、補助光源としての常夜灯２０、制御手段２１、リレー２２、電源部２３および装置本体２４を有して形成されている。装置本体２４は、その内部に、センサ手段１９、常夜灯２０、制御手段２１、リレー２２および電源部２３を配設し、ユニット化するように直方体形状のユニットに形成され、図３に示すように、器具本体４の補助光源部７に収納されている。
【００１９】
装置本体２４は、そのユニットの外面に露出して、図４に示すように、入力端子２５ａ，２５ｂおよび出力端子２６ａ，２６ｂが設けられている。入力端子２５ａ，２５ｂは、リード線２７ａ，２７ｂにより端子台１６に接続されている。端子台１６は、電線２８ａ，２８ｂにより商用交流電源Ｖｓに接続されている。すなわち、入力端子２５ａ，３５ｂは、端子台１６を介して商用交流電源Ｖｓに接続されている。
【００２０】
また、出力端子２６ａ，２６ｂは、電源線２９ａ，２９ｂによりソケット１４に接続されている。すなわち、出力端子２６ａ，２６ｂには、ソケット１４を介して主光源３の電源線２９ａ，２９ｂが接続されている。
【００２１】
そして、入力端子２５ａ，２５ｂおよび出力端子２６ａ，２６ｂは、リレー２２のリレー接点２２ａ１，２２ａ２，２２ｂ１，２２ｂ２に接続されている。リレー接点２２ａ１，２２ａ２およびリレー接点２２ｂ１，２２ｂ２がそれぞれ接続することにより、入力端子２５ａ，２５ｂおよび出力端子２６ａ，２６ｂが接続される。すなわち、主光源３は、商用交流電源Ｖｓ（ＡＣ１００Ｖ）に接続される。
【００２２】
センサ手段１９は、焦光カバー１９ａ内に収容された人体を検出する人感センサ３０および明るさを検出する照度センサ３１からなる。人感センサ３０および照度センサ３１は、ユニット化されて、図１に示すように、センサ装置２の下面２ａから外方に突出するように設けられている。
【００２３】
常夜灯２０は、センサ装置２の下面２ａに形成された透孔３２に面するようにセンサ装置２内に設けられている。常夜灯２０は、例えば白色光を放射するＬＥＤ素子からなり、図示しない基板に実装されて、装置本体２４に取り付けられている。
【００２４】
図４において、制御手段２１は、制御部３３、選択スイッチ３４およびタイマー３５を有してなる。制御部３３は、マイコンを有してなり、人感センサ３０が人体を検出し、人感センサ３０から出力された当該検出信号を入力すると、リレー２２のリレーコイル２２ｃに電流を供給して付勢する。これにより、リレー接点２２ａ１およびリレー接点２２ａ２と、リレー接点２２ｂ１およびリレー接点２２ｂ２とがそれぞれ接続し、外部に設けられた主光源３が商用交流電源Ｖｓに接続されて点灯する。そして、制御部３３は、タイマー３５が計時する所定の時間に亘ってリレー２２を付勢する。主光源３は、所定の時間に亘って点灯する。なお、リレー２２に替えて、半導体スイッチを用いてもよい。
【００２５】
また、制御部３３は、照度センサ３１が検出する明るさを検出信号で入力する。そして、当該明るさが所定値以下であると、常夜灯２０に定電流を供給して、常夜灯２０を点灯させる。すなわち、照明器具１の周囲が暗くなると、常夜灯２０が点灯するように制御する。そして、照明器具１の周囲が明るくなって、照度センサ３１が検出する明るさが所定値を上回ると、常夜灯２０に供給する電流を停止して、常夜灯２０を消灯させるように形成されている。
【００２６】
選択スイッチ３４は、主光源３の点灯状態の制御を設定する３個からなり、図２に示すように、センサ装置２の下面２ａに露出するように設けられている。選択スイッチ３４は、選択的に手動操作される操作子３６を有するスライドスイッチである。図５に示すように、選択スイッチ３４ａは、人感センサ３０が人体を検出しなくなった時点から主光源３を消灯させる遅延時間を設定するものである。すなわち、操作子３６を図中「１０秒」、「１分」、「１０分」の位置に移動させることにより、人感センサ３０が人体を検出しなくなった時点からタイマー３５がカウントを開始し、主光源３は、制御部３３により当該設定時間後に消灯される。
【００２７】
また、選択スイッチ３４ｂは、人感センサ３０および照度センサ３１が検出する人体および周囲の明るさに応じて主光源３の点灯状態を設定するものである。すなわち、操作子３６が図中「切」の位置であると、昼夜に係らず、人体を検出すると主光源３が点灯され、人体を検出しなくなると、主光源３が消灯される。操作子３６が「明」の位置であると、夕方など、周囲の明るさが例えば４５ルクス（ｌｘ）以下に低下し薄く暗くなったときに、主光源３が点灯され、操作子３６が「暗」の位置であると、夜など、周囲の明るさが例えば１５ルクス（ｌｘ）以下に低下して非常に暗くなったときに、主光源３が点灯されるものである。
【００２８】
また、スイッチ３４ｃは、主光源３の点灯動作を設定するものである。すなわち、操作子３６が図中「オン／オフ」の位置であると、人感センサ３０の検出に応じて主光源３を点灯または消灯させ、操作子３６が「常夜灯」の位置であると、人感センサ３０の検出に応じて、主光源３を点灯させず、常夜灯２０を点灯または消灯させるものである。
【００２９】
図４において、タイマー３５は、人感センサ３０が人体を検出した時点から、選択スイッチ３４ａで設定された時間を計時する。電源部２３は、入力端子２５ａ，２５ｂに接続されている。そして、商用交流電源Ｖｓの交流電圧から直流電圧を生成して、制御部３３などに動作電源を供給している。
【００３０】
上述したように、制御手段２１は、人感センサ３０の出力に応じて主光源３の光出力を制御できるように、出力端子２６ａ，２６ｂにソケット１４（主光源３）からの電源線２９ａ，２９ｂが接続されている。また、照度センサ３１の出力に応じて常夜灯２０を点灯するように制御するものである。
【００３１】
図２において、器具本体４の補助照明部７の下面７ａには、長方形状の開口３７が形成されている。センサ装置２は、その下面２ａが開口３７に露出するように補助照明部７内に配設されている。人感センサ３０および照度センサ３１からなるユニット体３８は、補助照明部７の下面７ａから外方に突出している。したがって、人感センサ３０は、照明器具１の照明領域に接近する人体を検出することができ、照度センサ３１は、照明領域の明るさを検出することができる。
【００３２】
また、常夜灯２０は、センサ装置２の下面２ａの透孔３２に面するように設けられている。したがって、補助照明部７の下面７ａから照明領域を照明することができる。そして、選択スイッチ３４は、補助照明部７の下面７ａに設けられているので、補助照明部７の下面７ａから設定することができる。
【００３３】
このように、センサ装置２は、主光源３を備えた器具本体４に取付け可能に形成されている。
【００３４】
次に、本発明の実施形態の作用について述べる。
【００３５】
センサ装置２は、照度センサ３１が検出する明るさが選択スイッチ３４ｂで設定された照度値以下となると、制御部３３が常夜灯２０に定電流を供給して常夜灯２０を点灯させる。これにより、照明器具１の周囲が暗くなったときに、照明領域は、常夜灯２０により低照度で照明されて、真っ暗にならなくなる。
【００３６】
また、人感センサ３０が照明領域に接近する人体を検出すると、制御部３３は、選択スイッチ３４ａで設定された設定時間に亘ってリレー２２を付勢する。これにより、器具本体４内のソケット１４に商用交流電源Ｖｓの交流電圧が供給され、ソケット１４に取り付けられている主光源３が点灯する。照明領域は、主光源３の放射光により明るく照明される。
【００３７】
こうして、照明器具１の照明領域は、人がいない時でも真っ暗にならず、常夜灯２０による低照度の明るさが得られ、照明領域に人が接近したときには、主光源３が点灯して十分な明るさが得られる。そして、主光源３は、電球形ＬＥＤランプであり、常夜灯２０は、ＬＥＤ素子であることにより、照明器具１での消費電力が抑制される。
【００３８】
また、常夜灯２０は、制御部２０の構成により、例えば８時間点灯後に消灯させることも可能である。この場合、不在のときには、常夜灯２０を自動的に消灯できて、省電力である。
【００３９】
そして、常夜灯２０は、センサ装置２に設けられているので、センサ装置２を器具本体４に配設するのみで、器具本体４に照明領域を照明可能に取り付けられるとともに、器具本体４での常夜灯２０に対する配線も不要となる。
【００４０】
また、センサ装置２の入力端子２５ａ，２５ｂと、器具本体４内に配設された端子台１６をリード線２７ａ，２７ｂで接続し、出力端子２６ａ，２６ｂと、器具本体４内に配設されたソケット１４を電源線２９ａ，２９で接続することにより、主光源３は、商用交流電源Ｖｓにオンオフ可能に接続される。したがって、器具本体４内の配線作業が容易に行える。
【００４１】
本実施形態のセンサ装置２によれば、装置本体２４にセンサ手段１９、常夜灯２０および制御手段２１を配設しているので、装置本体２４を器具本体４の補助照明部７内に配設することにより、主光源３および補助光源としての常夜灯２０を備えるセンサ付きの照明器具１を容易に形成できるという効果を有する。
【００４２】
また、本実施形態の照明器具１によれば、常夜灯２０を備えるセンサ装置２を配設することにより、常夜灯２０の配設空間や取付け作業を無くすことができ、また、センサ装置２と器具本体４内に配設された端子台１６およびソケット１４６とを接続するのみで、器具本体４内の配線作業が容易に行えるので、照明器具１を安価にすることができるという効果を有する。
【００４３】
なお、本実施形態において、照明器具１は、天井等に埋め込まれるダウンライトの埋込型照明器具、直付け型照明器具や吊り下げ型照明器具などであってもよい。また、主光源３は、電球形ＬＥＤランプで説明したが、これに限らず、電球形蛍光ランプなど、照明光を放射するものであればよい。
【符号の説明】
【００４４】
１…照明器具、  ２…センサ装置、  ３…主光源、  ４…器具本体、  １９…センサ手段、  ２０…補助光源としての常夜灯、  ２１…制御手段、  ２４…装置本体、  ３０…人感センサ、  ３１…照度センサ
【図１】
2014067556.tif 000003
【図２】
2014067556.tif 000004
【図３】
2014067556.tif 000005
【図４】
2014067556.tif 000006
【図５】
2014067556.tif 000007